(57)【要約】【課題】基板実装後においても、共振周波数を変化させることなく、容易に所定の外部結合容量を得ることのできる誘電体フィルタの特性調整方法を有する誘電体フィルタを提供する。【解決手段】対向する第１と第２の面を有し、前記第１の面から第２の面にかけて複数の貫通孔が形成された誘電体ブロックと、該貫通孔内壁に形成された内導体を含む共振導体と、前記誘電体ブロックの外面に形成された外導体と入出力電極とからなり、前記第１の面において、前記共振導体は該共振導体端部で誘電体ブロック露出部と隣接し、前記第２の面において前記内導体は前記外導体と接続しており、前記入出力電極は入出力段の前記内導体と容量結合している誘電体フィルタの特性調整方法であって、前記第１の面の前記共振導体端部を残して、前記入出力段の内導体の前記入出力電極に対向する部分を一部削除する誘電体フィルタの特性調整方法。【選択図】　　　　　図１
2004088595.tif 000002
【特許請求の範囲】
【請求項１】
対向する第１と第２の面を有し、前記第１の面から第２の面にかけて複数の貫通孔が形成された誘電体ブロックと、
該貫通孔内壁に形成された内導体を含む共振導体と、
前記誘電体ブロックの外面に形成された外導体と入出力電極とからなり、
前記第１の面において、前記共振導体は該共振導体端部で誘電体露出部と隣接し、前記第２の面において前記内導体は前記外導体と接続しており、
前記入出力電極は入出力段の前記内導体と容量結合している誘電体フィルタであって、
前記第１の面の前記共振導体端部を残して、前記入出力段の内導体の前記入出力電極に対向する部分が一部削除されていることを特徴とする誘電体フィルタ。
【請求項２】
対向する第１と第２の面を有し、前記第１の面から第２の面にかけて複数の貫通孔が形成された誘電体ブロックと、
該貫通孔内壁に形成された内導体を含む共振導体と、
前記誘電体ブロックの外面に形成された外導体と入出力電極とからなり、
前記第１の面において、前記共振導体は該共振導体端部で誘電体露出部と隣接し、前記第２の面において前記内導体は前記外導体と接続しており、
前記入出力電極は入出力段の前記内導体と容量結合している誘電体フィルタの特性調整方法であって、
前記第１の面の前記共振導体端部を残して、前記入出力段の内導体の前記入出力電極に対向する部分を一部削除することを特徴とする誘電体フィルタの特性調整方法。
【発明の詳細な説明】
【０００１】
【発明の属する技術分野】
本発明は、誘電体ブロックに複数の共振器を形成してなる誘電体フィルタおよびその調整方法に関する。
【０００２】
【従来の技術】
入出力段の内導体に対して容量結合する入出力電極を設けた誘電体フィルタを、３段帯域通過フィルタを例として図４に示す。図４において１はほぼ六面体形状の誘電体ブロックであり、その内部に３つの内導体形成用の貫通孔を形成し、内導体形成用貫通孔の内面に内導体２ａ，２ｂ，２ｃを形成している。誘電体ブロック１の外周面には、内導体２ａ，２ｃと容量結合する入出力電極４ａ，４ｂを設けている。さらに誘電体ブロック１の貫通孔に沿った４つの外周面および貫通孔が開口せる一方の端面（図４では下面）に外導体膜を形成している。内導体と外導体５とが短絡されている端面（図４では下面）を短絡端面（第２の面）と呼び、内導体４と外導体５とが短絡されていない端面（図４では上面）を開放端面（第１の面）と呼ぶ。開放端面（第１の面）には、図示されているように、内導体２ａ〜２ｃのそれぞれに接続された導体膜からなる内導体延長部２’ａ〜２’ｃが形成されているが、それ以外の領域は導体膜を備えておらず非導電領域とされている。
【０００３】
誘電体ブロック１の側面には、外導体５から絶縁された導体膜からなる入出力電極４ａ、４ｂが形成されている。入出力電極４ａ、４ｂは、それぞれの入出力段の内導体２ａ、２ｃと容量結合している。この構成によって３段帯域通過フィルタとして用いることができる。
【０００４】
図４に示したようなフィルタは、実装基板にはんだ付けなどによって表面実装して用いられるが、その際、入出力電極を形成した一側面Ａを実装基板側に合わせるように実装される。このような構造のフィルタは、従来、次のようにして入出力部の結合容量を調整していた。即ち、信号入出力電極４ａ，４ｂに対向する内導体２ａ，２ｃの開放端を外部から削ることによって、内導体開放端と入出力電極４ａ，４ｂとの容量を変化させることにより、入出力部の結合容量を調整していた。
【０００５】
一方、同様なフィルタの他の入出力の容量結合の調整方法として、特許第３２１３９８７号公報には、入出力電極４ａ、４ｂの一部を削除する方法が開示されている。
【０００６】
【発明が解決しようとする課題】
ところが、上記の誘電体フィルタの内導体の開放端を削る方法では、内導体の開放端を削ることにより、入出力段の共振器長も変化して入出力段の共振周波数が変化するという問題がある。このため、所定の共振周波数が要求されるフィルタの調整方法としては、上記の方法は好適な手段ではない。
【０００７】
また、先行技術の入出力電極の一部を削除する方法では、入出力電極が誘電体フィルタの基板に実装する面にしか形成されていない場合には、基板へ実装した後では、入出力電極の削除が不可能である。このため、基板に実装する面以外にも大きく入出力電極を形成しなくてはならないという問題がある。
【０００８】
本発明の目的は、基板実装後においても、所定の共振周波数および所定の外部結合容量を有する誘電体フィルタを提供することにある。
【０００９】
また、本発明の他の目的は、基板実装後においても、共振周波数を変化させることなく、容易に所定の外部結合容量を得ることのできる誘電体フィルタの特性調整方法を提供することにある。
【００１０】
【課題を解決するための手段】
本発明は、対向する第１と第２の面を有し、前記第１の面から第２の面にかけて複数の貫通孔が形成された誘電体ブロックと、該貫通孔内壁に形成された内導体を含む共振導体と、前記誘電体ブロックの外面に形成された外導体と入出力電極とからなり、前記第１の面において、前記共振導体は該共振導体端部で誘電体露出部と隣接し、前記第２の面において前記内導体は前記外導体と接続しており、前記入出力電極は入出力段の前記内導体と容量結合している誘電体フィルタであって、前記第１の面の前記共振導体端部を残して、前記入出力段の内導体の前記入出力電極に対向する部分が一部削除されていることを特徴とする誘電体フィルタに関する。
【００１１】
さらに、本発明は、対向する第１と第２の面を有し、前記第１の面から第２の面にかけて複数の貫通孔が形成された誘電体ブロックと、該貫通孔内壁に形成された内導体を含む共振導体と、前記誘電体ブロックの外面に形成された外導体と入出力電極とからなり、前記第１の面において、前記共振導体は該共振導体端部で誘電体露出部と隣接し、前記第２の面において前記内導体は前記外導体と接続しており、前記入出力電極は入出力段の前記内導体と容量結合している誘電体フィルタの特性調整方法であって、前記第１の面の前記共振導体端部を残して、前記入出力段の内導体の前記入出力電極に対向する部分を一部削除することを特徴とする誘電体フィルタの特性調整方法に関する。
【００１２】
本発明では、内導体と、内導体と容量結合する入出力電極とを有する誘電体フィルタにおいて、誘電体フィルタの開放端面である第１面において、内導体を含む共振導体端部を残したまま、入出力段の内導体の前記入出力電極に対向する部分を一部削除することにより、基板への実装後においても、共振周波数を変化させずに外部容量結合を容易に調整することができ、目的の誘電体フィルタを得ることができる。
【００１３】
【発明の実施の形態】
以下、図面を参照しながら本発明の具体的実施形態を説明する。
図１は、本発明による誘電体フィルタの一実施形態を示す模式的斜視図である。本発明の誘電体フィルタは、対向する第１の面１ａと第２の面１ｂを有し、前記第１の面１ａから第２の面１ｂにかけて複数の貫通孔６が形成された略六面体形状の誘電体ブロック１と、該貫通孔６の内壁に形成された内導体２を含む共振導体３と、前記誘電体ブロック１の外面に形成された外導体５と入出力電極４とからなり、前記第１の面１ａにおいて、前記共振導体３は端部が前記誘電体ブロックの誘電体露出部７と隣接し、前記第２の面１ｂにおいて前記内導体２は前記外導体５と接続しており、前記入出力電極４は、入出力段の前記内導体２と容量結合している。このような誘電体フィルタにおいて、本発明の誘電体フィルタは、特に、前記第１の面１ａの前記共振導体３端部を残して、前記入出力段の内導体２の前記入出力電極４に対向する部分が一部（図１中Ｂ）削除してあることを特徴とする。
【００１４】
本発明の誘電体フィルタにおいては、各内導体２とその周りの外導体５によりそれぞれ共振器を形成しており、共振導体３により隣接する共振器どうしがそれぞれ電磁界結合している。図１の誘電体フィルタの第１の面１ａでは、貫通孔の内壁に形成された内導体から導体を延長して形成した内導体延長部２’を備えているが、内導体延長部２’を省略することもできる。前記内導体延長部２’がない場合は、共振導体３は、内導体２と同一であり、前記内導体延長部２’があるときは、共振導体３は、内導体２と内導体延長部２’とからなる。第１の面１ａでは、内導体２を有する共振導体３は、誘電体露出部７により外導体５と絶縁されている。誘電体フィルタの第２の面１ｂでは、内導体２は外導体５と接続されている。
【００１５】
入出力電極４は、図１では誘電体ブロック１の実装面Ａとその隣接面に形成されているが、少なくとも誘電体ブロックの実装面Ａに形成されていればよい。また、図１では入出力電極は、誘電体フィルタの第１の面１ａに接するように誘電体ブロックの側面の上部に形成されているが、必ずしも第１の面１ａに接する必要は無く、入出力電極４をやや下方に形成し、入出力電極４と第１の面１ａとの間に外導体５が形成されていてもよい。
【００１６】
入出力電極４は、それぞれの入出力段の内導体２と容量結合しており、入出力段の内導体２の、容量結合している入出力電極４と対向する部分が一部削除されている。内導体の入出力電極が対向している部分とは、実質的に入出力電極と容量結合している部分である。削除することにより結合容量が実質的に変化するかどうかでその範囲を判断できる。しかしながら、第１の面１ｂの誘電体露出部７と接している前記共振導体３端部は、削除されていないことを特徴とする。共振導体３の端部が削除されないために、共振器の実質的長さが変化せず、共振周波数を変えずに、内部電極と入出力電極との容量を減少させ、外部結合容量を調整することができる。
【００１７】
また、本発明の誘電体フィルタの特性調整方法は、対向する第１と第２の面を有し、前記第１の面から第２の面にかけて複数の貫通孔が形成された誘電体ブロックと、該貫通孔内壁に形成された内導体を含む共振導体と、前記誘電体ブロックの外面に形成された外導体と入出力電極とからなり、前記第１の面において、前記共振導体は該共振導体端部で誘電体露出部と隣接し、前記第２の面において前記内導体は前記外導体と接続しており、前記入出力電極は入出力段の前記内導体と容量結合している誘電体フィルタの特性調整方法であって、前記第１の面の前記共振導体端部を残して、前記入出力段の内導体の前記入出力電極に対向する部分を一部削除することを特徴とする。削除する内導体は、一方の入出力段の内導体だけであってもよい。
【００１８】
図１に示した構造の誘電体フィルタの外部結合容量の調整方法を次に述べる。
外部結合容量の調整は、図１に示した入出力電極４と容量結合している入出力段の内導体２の入出力電極４と対向する部分であって、前記共振導体端部から離れた部分を一部（図１中Ｂ）を削ることで行う。内導体の一部分を削るには、リューター等を用いることができる。図２は、外部結合容量調整後の内導体削除部分Ｂを含む誘電体フィルタの断面図である。上記のように内導体２の入出力電極４と対向する部分を一部削除することによって、共振器の実質的長さが変化せず、共振周波数を変えずに、内部電極と入出力電極との容量を減少させ、外部結合容量を調整することが出来る。
また、内導体を除去した後、さらにその部分の誘電体の一部を除去することによって微調整を行うこともできる。
【００１９】
図３は、本発明による誘電体フィルタの第２の実施形態を示す模式的斜視図である。
図１の実施形態と異なる点は、図３の実施形態の誘電体フィルタでは、内導体２のそれぞれに接続され第１の面１ａに延長して形成されている導体膜からなる内導体延長部２’が入出力電極４側にも伸びて外部結合容量を大きく取っている点である。この場合、共振器を構成する共振電極３の端部は、内導体２のそれぞれに接続された導体膜からなる内導体延長部２’と第１の面１ｂに露出している誘電体との境界部分であるので、貫通孔の第１面に接する部分まで内導体２を一部（図３中Ｂ）削除しても共振電極端部と離れているため、共振周波数を変えることなく入出力電極との容量を減少させ、外部結合容量を調整することができる。
【００２０】
なお、開放面である第１面の内導体延長部２’は、凹部により形成しても良い。また、図１の実施形態はコムラインタイプであるが、同様にしてインターディジタルタイプとして構成しても良い。
【００２１】
さらに、本発明の誘電体フィルタ２つを組合わせて１つのブロックに組み込むことにより、送受共用器（デュプレクサ）を形成することも可能である。そして、本発明の特性調整方法は、そのような送受共用器の入出力結合の調整にも使用することが可能である。
【００２２】
【発明の効果】
本発明によれば、誘電体ブロックと、複数の貫通孔に形成された内導体を含む共振導体と、外部に形成された外導体と入出力電極とからなる誘電体フィルタにおいて、前記第１の面の前記共振導体端部を残して、前記入出力段の内導体の前記入出力電極に対向する部分を一部削除することにより、基板への実装後においても、共振周波数を変化させずに外部結合容量を容易に調整することができ、所定の共振周波数と所定の外部結合容量を有する誘電体フィルタを得ることができる。
【図面の簡単な説明】
【図１】本発明による誘電体フィルタの一実施形態を示す模式的斜視図である。
【図２】図１の誘電体フィルタの断面図である。
【図３】本発明による誘電体フィルタの他の実施形態を示す模式的斜視図である。
【図４】従来の誘電体フィルタの模式的斜視図である。
【符号の説明】
１　誘電体ブロック
１ａ　第１の面（開放端面）
１ｂ　第２の面（短絡端面）
２、２ａ、２ｂ、２ｃ　内導体
２’　内導体延長部
３　共振導体
４、４ａ、４ｂ　入出力電極
５　外導体
６　貫通孔
７　誘電体露出部
Ａ　実装面
Ｂ　内導体削除部分
【図１】
2004088595.tif 000003
【図２】
2004088595.tif 000004
【図３】
2004088595.tif 000005
【図４】
2004088595.tif 000006